(57)【要約】【課題】１枚の図面に記載された種々の設備のそれぞれを検索できるようにした図面データ管理システムを得る。【解決手段】ファイルサーバ３で、図面データを管理し、データベースサーバ１で、図面を検索するキーワードと設備に対するコメントである付箋紙型コメント管理情報を管理し、クライアント５からの検索依頼に応じて、ＷＷＷサーバ４で、データベースサーバのキーワード及び付箋紙型コメント管理情報を検索して図面を検索し、検索された図面に付箋紙型コメントを重ね合わせてクライアント５の画面に表示するようにして、さまざまな設備の情報が混在して記載されることが一般的な図面データを、効率的に検索することができる。【選択図】図１
2007334754.tif 000002
【特許請求の範囲】
【請求項１】
図面データを保管するファイルサーバ装置、上記図面データを検索する検索キーワード及び上記図面データ中の設備に関するコメントである付箋紙型コメント情報を管理するデータベースサーバ装置、及びクライアント装置から入力された検索キーワードを含む検索条件にしたがって図面を検索し、検索された図面を上記クライアント装置に送るＷＷＷサーバ装置を備え、
上記ＷＷＷサーバ装置は、上記クライアント装置に上記検索キーワードを含む検索条件を入力させる画面を表示する検索画面生成手段と、上記検索条件に基き上記データベースサーバ装置の上記検索キーワード及び付箋紙型コメント情報を検索し、検索結果を上記クライアント装置に表示する検索・検索結果画面生成手段と、上記検索結果から図面が選択されることにより上記図面データ及びこの図面データに関連する付箋紙型コメント情報を上記ファイルサーバ装置及び上記データベースサーバ装置からそれぞれ取得し、上記図面上に上記付箋紙型コメントを重ね合わせて上記クライアント装置に表示する付箋紙付き図面表示手段とを有することを特徴とする図面データ管理システム。
【請求項２】
上記付箋紙型コメント情報は、上記クライアント装置で編集可能であり、上記ＷＷＷサーバ装置は、上記クライアント装置で編集された上記付箋紙型コメント情報を上記図面データに関連付けて上記データベースサーバ装置に登録する付箋紙型コメント登録手段を有することを特徴とする請求項１記載の図面データ管理システム。
【請求項３】
上記ＷＷＷサーバ装置は、上記クライアント装置から選択された画面について、上記クライアント装置の画面に、付箋紙型コメントをつけた本形式で図面データを表示する本形式図面表示手段を備えたことを特徴とする請求項１記載の図面データ管理システム。
【請求項４】
上記データベースサーバ装置によって管理される付箋紙型コメント情報には分類情報が付加され、この分類情報は、上記ＷＷＷサーバ装置による図面の検索に用いられることを特徴とする請求項１〜請求項３のいずれかに記載の図面データ管理システム。
【発明の詳細な説明】
【技術分野】
【０００１】
この発明は、装置やプラントの図面を電子的に管理することで、図面の管理や検索を容易にした図面データ管理システムに関するものである。
【背景技術】
【０００２】
従来の図面データ管理システムでは、システム構築の時点で作成されたキーワードリストを元に図面を管理し、検索する機能を提供する構成が一般的である。
特許文献１では、データベースシステムに対して各属性項目ごとに条件を検索指示したのち、それらの条件を論理演算により結合し、この結果にタイトルをつけて一時保存し、このタイトルの付いた複数の検索結果を論理演算して絞り込みを行うようにしたものである。
【０００３】
【特許文献１】特開平８−９５９８０号公報（第３〜４頁、図１）
【発明の開示】
【発明が解決しようとする課題】
【０００４】
従来の図面データ管理システムでは、システム構築の時点で数が固定されたキーワードリストを使って図面を管理し、また、検索する機能を提供する構成であった。一般に、図面データは、一枚の図面にさまざまな設備の情報が混在して記載されることが多いが、キーワードリストでは、これら複数の設備の情報が混在して記載された図面を効率的に管理することが難しかった。
特許文献１のものでは、属性項目により図面が検索できるものの、一枚の図面内のさまざまな設備については検索できなかった。
【０００５】
この発明は、上記のような課題を解決するためになされたものであり、１枚の図面に記載された種々の設備のそれぞれを検索できるようにした図面データ管理システムを得ることを目的としている。
【課題を解決するための手段】
【０００６】
この発明に係わる図面データ管理システムにおいては、図面データを保管するファイルサーバ装置、図面データを検索する検索キーワード及び図面データ中の設備に関するコメントである付箋紙型コメント情報を管理するデータベースサーバ装置、及びクライアント装置から入力された検索キーワードを含む検索条件にしたがって図面を検索し、検索された図面をクライアント装置に送るＷＷＷサーバ装置を備え、
ＷＷＷサーバ装置は、クライアント装置に検索キーワードを含む検索条件を入力させる画面を表示する検索画面生成手段と、検索条件に基きデータベースサーバ装置の検索キーワード及び付箋紙型コメント情報を検索し、検索結果をクライアント装置に表示する検索・検索結果画面生成手段と、検索結果から図面が選択されることにより図面データ及びこの図面データに関連する付箋紙型コメント情報をファイルサーバ装置及びデータベースサーバ装置からそれぞれ取得し、図面上に付箋紙型コメントを重ね合わせてクライアント装置に表示する付箋紙付き図面表示手段とを有するものである。
【発明の効果】
【０００７】
この発明は、以上説明したように、図面データを保管するファイルサーバ装置、図面データを検索する検索キーワード及び図面データ中の設備に関するコメントである付箋紙型コメント情報を管理するデータベースサーバ装置、及びクライアント装置から入力された検索キーワードを含む検索条件にしたがって図面を検索し、検索された図面をクライアント装置に送るＷＷＷサーバ装置を備え、
ＷＷＷサーバ装置は、クライアント装置に検索キーワードを含む検索条件を入力させる画面を表示する検索画面生成手段と、検索条件に基きデータベースサーバ装置の検索キーワード及び付箋紙型コメント情報を検索し、検索結果をクライアント装置に表示する検索・検索結果画面生成手段と、検索結果から図面が選択されることにより図面データ及びこの図面データに関連する付箋紙型コメント情報をファイルサーバ装置及びデータベースサーバ装置からそれぞれ取得し、図面上に付箋紙型コメントを重ね合わせてクライアント装置に表示する付箋紙付き図面表示手段とを有するので、設備に関するコメントである付箋紙型コメントの内容で、目的の図面を検索することができるため、さまざまな設備の情報が混在して記載されることが一般的な図面データを、効率的に検索することができる。
【発明を実施するための最良の形態】
【０００８】
実施の形態１．
以下、この発明の実施の形態１を図に基づいて説明する。
図１は、この発明の実施の形態１による図面データ管理システムを示す構成図である。
図１において、ファイルサーバ３（ファイルサーバ装置）は、図面データファイル３ａ〜３ｚを保管している。データベース（ＤＢ）サーバ１（データベースサーバ装置）は、図面キーワード管理テーブル１１と、付箋紙型コメント管理テーブル２を使って、図面データファイル３ａ〜３ｚにそれぞれ対応した、図面管理情報１１ａ〜１１ｚと、付箋紙型コメント管理情報２１ａ〜２４ｚ（付箋紙型コメント情報）を管理する。図面管理情報１１ａ〜１１ｚは、図面を検索するための検索キーワードの情報であり、付箋紙型コメント管理情報２１ａ〜２４ｚは、設備に対する付箋紙型コメントの内容と、その設備の場所である貼り付け場所を管理するための情報であり、この付箋紙型コメントも図面の検索に用いられる。
ＷＷＷサーバ４（ＷＷＷサーバ装置）は、ＤＢサーバ１に格納された図面管理情報（図面検索キーワード）１１ａ〜１１ｚ及び付箋紙型コメント管理情報２１ａ〜２４ｚを使って目的の図面を検索するための検索画面生成機能４１（検索画面生成手段）と検索／検索結果画面生成機能４２（検索・検索結果画面生成手段）と、図面と付箋紙型コメントを重ね合わせて表示するための付箋紙付き図面表示機能４４（付箋紙付き図面表示手段）と、クライアント装置（以下、単にクライアント）上で付箋紙型コメントを編集した結果をＤＢサーバ１の付箋紙型コメント管理テーブル２に登録するための付箋紙型コメント登録機能４５と、ファイルサーバ３に置かれた図面データを、クライアントに転送する図面データ転送機能４６とから構成される。
【０００９】
クライアント５は、ＷＷＷサーバ４と通信を行うことで、検索キーワード入力画面５１や、検索結果表示画面５２を表示する機能と、付箋紙型コメント７１ｚ〜７４ｚが書き込まれた付箋紙型コメント表示レイヤ６６と、図面イメージ６７と重ね合わせて表示する図面表示画面５４と、付箋紙型コメントを新たに設けたり、修正したりして付箋紙型コメント７１ｚ〜７４ｚを編集する付箋紙型コメント編集機能５５（付箋紙型コメント編集手段）とから構成される。
図面キーワード管理テーブル１１に格納される図面管理情報１１ａ〜１１ｚは、本システムが管理する図面データファイル３ａ〜３ｚの１つについて、１個づつ用意される。
付箋紙型コメント管理テーブル２に格納される付箋紙コメント管理情報２１ａ〜２４ｚは、本システムが管理する図面に張られた付箋紙型コメントの数だけ用意される。
図２は、この発明の実施の形態１による図面データ管理システムの動作を示すフローチャートである。
【００１０】
次に、動作について図２に基き説明する。
まず、検索画面生成機能４１が検索キーワード入力画面５１を生成する（ステップＳ１）。次いで、クライアント５が、検索キーワード入力画面５１を画面に表示する（ステップＳ２）。次に、ユーザが、検索キーワード入力画面５１に検索キーワードを入力し（ステップＳ３）、検索条件６１を生成する。検索キーワード入力画面５１は、ＷＷＷサーバ４の検索／検索結果画面生成機能４２に、入力された検索条件６１を送信する（ステップＳ４）。
検索／検索結果画面生成機能４２は、ＤＢサーバ１に問い合わせて検索対象の画面を検索する（ステップＳ５）。次いで、検索／検索結果画面生成機能４２は、検索結果を表示するための検索結果表示画面５２を生成する（ステップＳ６）。クライアント５が、検索結果表示画面５２を表示する（ステップＳ７）。
ユーザは、検索結果表示画面５２に表示された図面の一つを選択する（ステップＳ８）。検索結果表示画面５２は、選択された図面の図面名６２を、ＷＷＷサーバ４の付箋付き図面表示機能４４に送信する（ステップＳ９）。付箋付き図面表示機能４４は、ＤＢサーバ１から、選択された図面と重ね合わせて表示する付箋紙型コメント管理情報２１ｚ〜２３ｚを取得する（ステップＳ１０）。
付箋付き図面表示機能４４は、付箋紙型コメント管理情報２１ｚ〜２３ｚを元に、付箋紙型コメント７１ｚ〜７３ｚが表示された、付箋紙型コメント表示レイヤ６６を生成する（ステップＳ１１）。
【００１１】
次に、クライアント５は、図面データ転送機能４６を介してファイルサーバ３から、図面名６２で示された図面データファイル３ｚを取得する（ステップＳ１２）。クライアント５は、付箋紙型コメント表示レイヤ６６と、図面データファイル３ｚを重ね合わせて図面表示画面５４に表示する（ステップＳ１３）。
次に、付箋紙型コメントを編集するかどうかを判定し（ステップＳ１４）、編集する場合には、ユーザは、付箋紙型コメント編集機能５５を使って、図面表示画面５４上で、付箋紙型コメント７４ｚを編集する（ステップＳ１５）。編集しない場合には、ステップＳ１に戻る。
次に、付箋紙型コメント編集機能５５は、編集した付箋紙型コメント７４ｚに関するコメント管理情報６８を、付箋紙型コメント登録機能４５に送信する（ステップＳ１６）。付箋紙型コメント登録機能４５は、付箋紙型コメント管理テーブル２に、コメント管理情報２４ｚを登録する（ステップＳ１７）。
【００１２】
実施の形態１によれば、複数の設備の設計情報が１枚の図面に記載されていた場合に、目的の設備の設計情報がどの図面の何処に記載されているかを、付箋紙型コメントで管理・検索することが可能になり、装置やプラントの図面の検索を効率化することができる。
また、１枚の図面に自由に場所と関連付けてキーワードを追加できるようになることで、従来の図面データ管理システムで問題となっていたキーワードリストの上限を超えて情報を登録できないという問題も回避することができる。
【００１３】
実施の形態２．
図３は、この発明の実施の形態２による図面データ管理システムを示す構成図である。
図３において、図１の構成に加えて、付箋紙型コメント管理情報２１ａ〜２４ｚは、本システムが管理する図面データファイル３ａ〜３ｚに貼り付けられた数だけ用意される。付箋紙型コメントの分類情報２２１ａ〜２２４ｚは、付箋紙型コメント管理情報２１ａ〜２４ｚに対応して用意される。
実施の形態１では、付箋紙型コメント管理情報２１ａ〜２４ｚの記載内容を使って図面を検索する場合について述べた。図３に示す実施の形態２では、付箋紙型コメント管理情報２１ａ〜２４ｚに、付箋紙型コメントの分類情報２２１ａ〜２２４ｚを持たせることができるようにしたので、図面を利用する目的に応じた分類で図面を検索することができる。これにより、目的に対応した複数の図面を一度に検索することができるようになるため、図面の検索が効率化される。
図４は、この発明の実施の形態２による図面データ管理システムの動作を示すフローチャートである。
【００１４】
次に、動作について図４に基き説明する。
まず、検索画面生成機能４１が検索キーワード入力画面５１を生成する（ステップＳ１）。次に、クライアント５が、検索キーワード入力画面５１を画面に表示する（ステップＳ２）。ユーザが、検索キーワード入力画面５１に検索キーワードを入力する（ステップＳ３）。ユーザが、検索キーワード入力画面５１に付箋分類２５１を入力する（ステップＳ３ａ）。
検索キーワード入力画面５１は、ＷＷＷサーバ４の検索／検索結果画面生成機能４２に、入力された検索条件６１を送信する（ステップＳ４）。検索／検索結果画面生成機能４２は、ＤＢサーバ１に問い合わせて検索対象の図面を検索する（ステップＳ５）。検索／検索結果画面生成機能４２は、検索結果を表示するための検索結果表示画面５２を生成する（ステップＳ６）。
次に、クライアント５が、検索結果表示画面５２を表示する（ステップＳ７）。ユーザは、検索結果表示画面５２に表示された図面の一つを選択する（ステップＳ８）。検索結果表示画面５２は、選択された図面の図面名６２を、ＷＷＷサーバ４の付箋付き図面表示機能４４に送信する（ステップＳ９）。
【００１５】
付箋付き図面表示機能４４は、ＤＢサーバ１から選択された図面と重ね合わせて表示する付箋紙型コメント管理情報２１ｚ〜２３ｚを取得する（ステップＳ１０）。付箋付き図面表示機能４４は、付箋紙型コメント管理情報２１ｚ〜２３ｚを元に、付箋紙型コメント７１ｚ〜７３ｚと対応する付箋分類２７１ｚ〜２７３ｚが表示された、付箋紙型コメント表示レイヤ６６を生成する（ステップＳ１１）。
次いで、クライアント５は、図面データ転送機能４６を介してファイルサーバ３から、図面名６２で示された図面データファイル３ｚを取得する（ステップＳ１２）。クライアント５は、付箋紙型コメント表示レイヤ６６と、図面データファイル３ｚを重ね合わせて図面表示画面５４に表示する（ステップＳ１３）。次に、付箋紙型コメントを編集するかどうかを判定し（ステップＳ１４）、編集する場合には、ユーザは、付箋紙型コメント編集機能５５を使って、図面表示画面５４上で、付箋紙型コメント７４ｚと付箋分類２７４ｚを編集する（ステップＳ１５）。編集しない場合には、ステップＳ１に戻る。
付箋紙型コメント編集機能５５は、編集した付箋紙型コメント７４ｚ、付箋分類２７４ｚに関するコメント管理情報６８を、付箋紙型コメント登録機能４５に送信する（ステップＳ１６）。付箋紙型コメント登録機能４５は、付箋紙型コメント管理テーブル２に、コメント管理情報２４ｚ、付箋分類管理情報２２４ｚを登録する（ステップＳ１７）。
【００１６】
実施の形態２によれば、複数の設備の設計情報が複数の図面に跨って記載されていた場合に、分類情報を使って、関係する図面を容易に検索することができる。
【００１７】
実施の形態３．
図５は、この発明の実施の形態３による図面データ管理システムを示す構成図である。
図５において、図１の構成に加えて、ＷＷＷサーバ４に、図面についてページをめくるように画面を生成する本形式図面表示機能４３（本形式図面表示手段）を設けて、検索結果を付箋紙型コメントの差し込まれた本のイメージで本形式図面表示画面５３に表示することができるようにした。
実施の形態１では、検索結果表示画面５２に表示された検索結果から、付箋紙型コメントと図面を重ね合わせて図面表示画面５４に表示する構成について述べたが、実施の形態３では、図５に示すように、ＷＷＷサーバ４に本形式図面表示機能４３を設けることで、図面の検索結果を付箋紙型コメントの差し込まれた本のイメージで本形式図面表示画面５３に表示することができる。
付箋紙型コメントが貼り付けられた図面が、本のどの辺りにあるかがわかるため、図面の検索をより直感的に、紙文書に近い操作感で行うことが可能になる。
図６は、この発明の実施の形態３による図面データ管理システムの動作を示すフローチャートである。
【００１８】
次に、動作について図６に基き説明する。
まず、検索画面生成機能４１が検索キーワード入力画面５１を生成する（ステップＳ１）。次いで、クライアント５が、検索キーワード入力画面５１を画面に表示する（ステップＳ２）。ユーザが、検索キーワード入力画面５１に検索キーワードを入力して（ステップＳ３）、検索条件６１を生成する。検索キーワード入力画面５１は、ＷＷＷサーバ４の検索／検索結果画面生成機能４２に、入力された検索条件６１を送信する（ステップＳ４）。検索／検索結果画面生成機能４２は、ＤＢサーバ１に問い合わせて検索対象の図面を検索する（ステップＳ５）。検索／検索結果画面生成機能４２は、検索結果を表示するための検索結果表示画面５２を生成する（ステップＳ６）。
次いで、クライアント５が、検索結果表示画面５２を表示する（ステップＳ７）。ユーザは、検索結果表示画面５２に表示された図面の一つを選択する（ステップＳ８）。検索結果表示画面５２は、選択された図面の図面名６２を、ＷＷＷサーバ４の本形式図面表示機能４３に送信する（ステップＳ９）。
【００１９】
本形式図面表示機能４３は、対象図面のどのページに付箋が表示されているかを図面の端にしおり８３の形で示した、本形式付箋紙型コメント表示レイヤ６３を生成する（ステップＳ９ａ）。クライアント５は、図面データ転送機能４６を介してファイルサーバ３から、図面名６２で示された図面データファイル３ｚを取得する（ステップＳ９ｂ）。
クライアント５は、本形式付箋紙型コメント表示レイヤ６３と、図面データファイル３ｚのページ番号６５で指定されたページを重ね合わせて、本形式図面表示画面５３に表示する（ステップＳ９ｃ）。さらにページを探すかどうかを判定し（ステップＳ９ｄ）、探す場合には、ユーザは、本形式図面表示画面５３でしおり８３を選択することで、図面内で付箋紙型コメントが付けられたページを選択する（ステップＳ９ｅ）。本形式図面表示画面５３は、選択されたしおり８３に対応するページ番号６５を、本形式図面表示機能４３に送信して（ステップＳ９ｆ）、ステップＳ９ａに戻る。
【００２０】
ステップＳ９ｄでページを探さない場合には、本形式図面表示機能４３は、選択された図面の図面名６２とページ番号６５を、ＷＷＷサーバ４の付箋付き図面表示機能４４に送信する（ステップＳ９ｇ）。
付箋付き図面表示機能４４は、ＤＢサーバ１から選択された図面と重ね合わせて表示する付箋紙型コメント管理情報２１ｚ〜２３ｚを取得する（ステップＳ１０）。付箋付き図面表示機能４４は、付箋紙型コメント管理情報２１ｚ〜２３ｚを元に、付箋紙型コメント７１ｚ〜７３ｚが表示された、付箋紙型コメント表示レイヤ６６を生成する（ステップＳ１１）。
クライアント５は、図面データ転送機能４６を介してファイルサーバ３から、図面名６２で示された図面データファイル３ｚを取得する（ステップＳ１２）。クライアント５は、付箋紙型コメント表示レイヤ６６と、図面データファイル３ｚを重ね合わせて図面表示画面５４に表示する（ステップＳ１３）。次いで、付箋紙型コメントを編集するかどうかを判定し（ステップＳ１４）、編集する場合には、ユーザは、付箋紙型コメント編集機能５５を使って、図面表示画面５４上で、付箋紙型コメント７４ｚを編集する（ステップＳ１５）。編集しない場合には、ステップＳ１に戻る。
【００２１】
付箋紙型コメント編集機能５５は、編集した付箋紙型コメント７４ｚに関するコメント管理情報６８を、付箋紙型コメント登録機能４５に送信する（ステップＳ１６）。付箋紙型コメント登録機能４５は、付箋紙型コメント管理テーブル２に、付箋紙型コメント管理情報２４ｚを登録する（ステップＳ１７）。
【００２２】
実施の形態３によれば、付箋紙型コメントが付けられたページを即座に呼び出すことができるため、所望の図面及び設備を容易に検索することができる。
【００２３】
実施の形態４．
図７は、この発明の実施の形態４による図面データ管理システムを示す構成図である。
図７において、図５の構成に加えて、付箋紙型コメント管理情報２１ａ〜２４ｚに、付箋紙型コメントの分類情報２２１ａ〜２２４ｚを付け、検索キーワード入力画面５１で入力した付箋分類２５１と合致する付箋紙型コメントが貼り付けられた図面のみで、本のイメージを画面５３に表示することができるようにした。
実施の形態３では、図面の検索結果を付箋紙型コメントの差し込まれた本のイメージで、画面５３に表示する構成について説明したが、実施の形態４は、図７に示すように、付箋紙型コメント管理情報２１ａ〜２４ｚに、付箋紙型コメントの分類情報２２１ａ〜２２４ｚを付け、検索キーワード入力画面５１で入力した付箋分類２５１と合致する付箋紙型コメントが貼り付けられた図面のみで、本のイメージを画面５３に表示することができるようにすることで、本全体から、目的に応じた図面一式を抜き出す作業を、より直感的に、紙文書に近い操作で行うことが可能になる。
図８は、この発明の実施の形態４による図面データ管理システムの動作を示すフローチャートである。
【００２４】
次に、動作について図８に基き説明する。
まず、検索画面生成機能４１が検索キーワード入力画面５１を生成する（ステップＳ１）。次いで、クライアント５が、検索キーワード入力画面５１を画面に表示する（ステップＳ２）。ユーザが、検索キーワード入力画面５１に検索キーワードを入力する（ステップＳ３）。ユーザが、検索キーワード入力画面５１に付箋分類２５１を入力する（ステップＳ３ａ）。
検索キーワード入力画面５１は、ＷＷＷサーバ４の検索／検索結果画面生成機能４２に、入力された検索条件６１を送信する（ステップＳ４）。検索／検索結果画面生成機能４２は、ＤＢサーバ１に問い合わせて検索対象の図面を検索する（ステップＳ５）。検索／検索結果画面生成機能４２は、検索結果を表示するための検索結果表示画面５２を生成する（ステップＳ６）。
【００２５】
クライアント５が、検索結果表示画面５２を表示する（ステップＳ７）。ユーザは、検索結果表示画面５２に表示された図面の一つを選択する（ステップＳ８）。検索結果表示画面５２は、選択された図面の図面名６２を、ＷＷＷサーバ４の本形式図面表示機能４３に送信する（ステップＳ９）。
本形式図面表示機能４３は、対象図面のどのページに付箋が表示されているかを図面の端にしおり８３の形で示した、本形式付箋紙型コメント表示レイヤ６３を生成する（ステップＳ９ａ）。クライアント５は、図面データ転送機能４６を介してファイルサーバ３から、図面名６２で示された図面データファイル３ｚを取得する（ステップＳ９ｂ）。クライアント５は、本形式付箋紙型コメント表示レイヤ６３と、図面データファイル３ｚのページ番号６５で指定されたページを重ね合わせて、本形式図面表示画面５３に表示する（ステップＳ９ｃ）。
【００２６】
さらにページを探すかどうかを判定し（ステップＳ９ｄ）、探す場合には、ユーザは、本形式図面表示画面５３でしおり８３を選択することで、図面内で付箋紙型コメントが付けられたページを選択する（ステップＳ９ｅ）。本形式図面表示画面５３は、選択されたしおり８３に対応するページ番号６５を、本形式図面表示機能４３に送信して（ステップＳ９ｆ）、ステップＳ９ａに戻る。
ステップＳ９ｄで、ページを探さない場合には、本形式図面表示機能４３は、選択された図面の図面名６２とページ番号６５を、ＷＷＷサーバ４の付箋付き図面表示機能４４に送信する（ステップＳ９ｇ）。付箋付き図面表示機能４４は、ＤＢサーバ１から、選択された図面と重ね合わせて表示する付箋紙型コメント管理情報２１ｚ〜２３ｚを取得する（ステップＳ１０）。
付箋付き図面表示機能４４は、付箋紙型コメント管理情報２１ｚ〜２３ｚを元に、付箋紙型コメント７１ｚ〜７３ｚと対応する付箋分類２７１ｚ〜２７３ｚが表示された、付箋紙型コメント表示レイヤ６６を生成する（ステップＳ１１）。
【００２７】
クライアント５は、図面データ転送機能４６を介してファイルサーバ３から、図面名６２で示された図面データファイル３ｚを取得する（ステップＳ１２）。クライアント５は、付箋紙型コメント表示レイヤと、図面データファイル３ｚを重ね合わせて図面表示画面５４に表示する（ステップＳ１３）。次に、付箋紙型コメントを編集するかどうかを判定し（ステップＳ１４）、編集する場合には、ユーザは、付箋紙型コメント編集機能５５を使って、図面表示画面５４上で、付箋紙型コメント７４ｚと付箋分類２７４ｚを編集する（ステップＳ１５）。編集しない場合には、ステップＳ１に戻る。
付箋紙型コメント編集機能５５は、編集した付箋紙型コメント７４ｚ、付箋分類２７４ｚに関するコメント管理情報６８を、付箋紙型コメント登録機能に送信する（ステップＳ１６）。付箋紙型コメント登録機能４５は、付箋紙型コメント管理テーブル２に、コメント管理情報２４ｚ、付箋分類管理情報２２４ｚを登録する（ステップＳ１７）。
【００２８】
実施の形態４によれば、同一分類の付箋紙型コメントの付けられたページを、自動的に抜き出し、それらのが付けられたページを順にめくることができるため、所望の図面及び設備を容易に検索することができる。
【図面の簡単な説明】
【００２９】
【図１】この発明の実施の形態１による図面データ管理システムを示す構成図である。
【図２】この発明の実施の形態１による図面データ管理システムの動作を示すフローチャートである。
【図３】この発明の実施の形態２による図面データ管理システムを示す構成図である。
【図４】この発明の実施の形態２による図面データ管理システムの動作を示すフローチャートである。
【図５】この発明の実施の形態３による図面データ管理システムを示す構成図である。
【図６】この発明の実施の形態３による図面データ管理システムの動作を示すフローチャートである。
【図７】この発明の実施の形態４による図面データ管理システムを示す構成図である。
【図８】この発明の実施の形態４による図面データ管理システムの動作を示すフローチャートである。
【符号の説明】
【００３０】
１  ＤＢサーバ
２  付箋紙型コメント管理テーブル
３  ファイルサーバ
４  ＷＷＷサーバ
５  クライアント
１１  図面キーワード管理テーブル
３ａ〜３ｚ  図面データファイル
１１ａ〜１１ｚ  図面管理情報
２１ａ〜２４ｚ  付箋紙型コメント管理情報
２２１ａ〜２２４ｚ  付箋紙型コメントの分類情報
４１  検索画面生成機能
４２  検索／検索結果画面生成機能
４３  本形式図面表示機能
４４  付箋紙付き図面表示機能
４５  付箋紙型コメント登録機能
４６  図面データ転送機能
５１  検索キーワード入力画面
５２  検索結果表示画面
５３  本形式図面表示画面
５４  図面表示画面
５５  付箋紙型コメント編集機能
６１  検索条件
６２  図面名
６３  本形式付箋紙型コメント表示レイヤ
６４  図面イメージ
６５  ページ番号
６６  付箋紙型コメント表示レイヤ
６７  図面イメージ
６８  コメント管理情報
７１ｚ〜７４ｚ 付箋紙型コメント
２７１ａ〜２７４ｚ  付箋紙型コメントの分類情報
【図１】
2007334754.tif 000003
【図２】
2007334754.tif 000004
【図３】
2007334754.tif 000005
【図４】
2007334754.tif 000006
【図５】
2007334754.tif 000007
【図６】
2007334754.tif 000008
【図７】
2007334754.tif 000009
【図８】
2007334754.tif 000010